(57)【要約】【課題】使用基準波長３８０〜４５０ｎｍ、保護基板厚約０．６ｍｍの光情報記録媒体に用いられ、軸上色収差及び温度変化による球面収差を補正できる光学素子及び光ピックアップ装置を提供する。【解決手段】本発明に係る光学素子は、保護基板６の厚さが約０．６ｍｍである光情報記録媒体５に対して情報の記録及び／又は再生を行う光ピックアップ装置１に用いられ、前記光情報記録媒体の情報記録面７に使用基準波長３８０〜４５０ｎｍの光束を集光させる光学素子であって、少なくとも１つの光学面上に光軸Ｌを中心としたＬ個の輪帯からなる回折構造を備え、前記光情報記録媒体に対して情報の再生及び／又は記録を行う際に、前記回折構造により生じる回折光のうち、最大の回折効率を有する回折光の次数をｋ（自然数）とし、焦点距離をｆｍｍとした場合に、　９０≦Ｌｋ（ｆ１／２）≦３００　であることを特徴とする。【選択図】　　　　図１
2004101823.tif 000002
【特許請求の範囲】
【請求項１】
保護基板の厚さが約０．６ｍｍである光情報記録媒体に対して情報の記録及び／又は再生を行う光ピックアップ装置に用いられ、前記光情報記録媒体の情報記録面に使用基準波長３８０〜４５０ｎｍの光束を集光させる光学素子であって、
少なくとも１つの光学面上に光軸を中心としたＬ個の輪帯からなる回折構造を備え、前記光情報記録媒体に対して情報の記録及び／又は再生を行う際に前記回折構造により生じる回折光のうち、最大の回折効率を有する回折光の次数をｋ（自然数）とし、焦点距離をｆｍｍとした場合に、
９０≦Ｌｋ（ｆ１／２）≦３００
であることを特徴とする光学素子。
【請求項２】
請求項１に記載の光学素子であって、
１４０≦Ｌｋ（ｆ１／２）≦２２０
であることを特徴とする光学素子。
【請求項３】
請求項１又は２に記載の光学素子であって、
開口数が０．６０以上で０．７０以下であることを特徴とする光学素子。
【請求項４】
請求項１〜３のいずれか一項に記載の光学素子であって、
開口数が０．６５であることを特徴とする光学素子。
【請求項５】
請求項１〜４のいずれか一項に記載の光学素子であって、
プラスチックから成形されたものであることを特徴とする光学素子。
【請求項６】
保護基板の厚さが約０．６ｍｍである光情報記録媒体の情報記録面に対して基準波長３８０〜４５０ｎｍの光束を集光させる光学素子を備え、情報の記録及び／又は再生を行う光ピックアップ装置であって、
前記光学素子が、少なくとも１つの光学面上に光軸を中心としたＬ個の輪帯からなる回折構造を備え、
前記光情報記録媒体に対して情報の記録及び／又は再生を行う際に前記回折構造により生じる回折光のうち、最大の回折効率を有する回折光の次数をｋ（自然数）とし、焦点距離をｆｍｍとした場合に、
９０≦Ｌｋ（ｆ１／２）≦３００
であることを特徴とする光ピックアップ装置。
【請求項７】
請求項６に記載の光ピックアップ装置であって、
１４０≦Ｌｋ（ｆ１／２）≦２２０
であることを特徴とする光ピックアップ装置。
【発明の詳細な説明】
【０００１】
【発明の属する技術分野】
本発明は、光情報記録媒体の情報記録面に光束を集光させる光学素子及び光ピックアップ装置に関する。
【０００２】
【従来の技術】
近年、波長４００ｎｍ程度の青紫色半導体レーザ光源と、像側開口数（ＮＡ）が０．８５程度まで高められた対物レンズを用いた新しい高密度光ディスク（以下、本明細書では「高密度ＤＶＤ（Ｄｉｇｉｔａｌ　Ｖｉｄｅｏ　Ｄｉｓｃ）」という。）に用いるための光学素子及び光ピックアップ装置の研究・開発が進んでいる（例えば、特許文献１参照。）。
一例として、開口数０．８５、光源波長４０５ｎｍ、光ディスクの保護基板厚０．１ｍｍの高密度ＤＶＤでは、通常のＤＶＤ（開口数０．６、光源波長６５０ｎｍ、光ディスクの保護基板厚０．６ｍｍ、記憶容量４．７ＧＢ）と同径の直径１２ｃｍの光ディスクに対して、１面あたり２０〜３０ＧＢの情報の記録が可能である。
【０００３】
【特許文献１】
特開平６−２４２３７３号公報（第２−３頁、第２図）
【０００４】
【発明が解決しようとする課題】
光ピックアップ装置は、その設置箇所の気温の変動や動作時の発熱などによる温度変化にさらされる場合が多く、一般的に光ピックアップ装置の温度上昇により、レーザ発振器から出射されるレーザビームの波長が長くなる特性を有している。
また、光学素子は素材及び成型にかかるコストを抑える観点から、ガラスよりもプラスチックで成形されるのが好ましいが、プラスチックレンズは温度上昇に伴い屈折率が低下する特性を有している。
さらに、プラスチックの熱膨張率はガラスなどと比較して大きいため、プラスチックレンズは形状が変化しやすいという特性を有している。
【０００５】
このようなレーザ発振器及び光学素子の特性により、光ピックアップ装置を設計する際に想定した温度よりも高温（または低温）の環境下では、光軸上に形成されるビームスポットに、温度変化による収差（以下、「温度特性収差」という。）が発生するという問題があった。
また、光ディスクに対するデータの記録及び／又は再生が可能な光ピックアップ装置では、光ディスクへのデータの読み出しと書き込みとは交互に繰り返し行われるが、読み出し状態から書き込み状態に切り替わるときに、レーザ発振器から出射されるレーザビームのエネルギー密度を瞬時に上昇させるため、レーザビームの波長が瞬間的に長くなる現象（モードホップ）が生じる場合がある。
【０００６】
モードホップやその他の原因によりレーザビームの波長が長くなった場合、光軸上に形成されるビームスポットの位置が対物レンズの分散により対物レンズから遠方に移動して軸上色収差が発生して、光ディスクにデータを書き込む際にエラーが発生するという問題があった。
特に、レーザビームの波長が短くなるほど波長の単位変動量に対するレンズ材料の屈折率の変化量は大きくなることから、ＣＤやＤＶＤ等の他の光ディスクに対して用いるレーザビームの波長と比較して、より短い波長のレーザビームを用いる高密度ＤＶＤの光ピックアップ装置においては、軸上色収差がより大きくなるという問題があった。
【０００７】
ところで、上記特許文献１には、複数の輪帯に分割された輪帯構造を対物レンズの光学面上に形成し、この輪帯構造を通過する入射光に対して所定の光路差を生じさせて、上記色収差を補正する対物レンズが開示されているが、この対物レンズによれば、非球面のレンズで球面収差を抑えつつ、軸上色収差を補正することができるが、上述の温度特性収差を補正することは困難であるという問題があった。
【０００８】
また、近年では、特に光ディスクの保護基板厚が約０．１ｍｍの高密度ＤＶＤに用いる光ピックアップ装置に対する研究・開発が進んでおり、上述のような諸問題を解消できる光ピックアップ装置に対する技術が提案されている。
しかし、保護基板厚を、通常のＤＶＤ用の光ディスクの保護基板厚と等しい約０．６ｍｍとし、開口数を０．６５付近とした高密度ＤＶＤ用の光ディスクに用いる光ピックアップ装置及び光学素子に関しては、上述のような諸問題を解消できる技術の提案がほとんどなされていない。
【０００９】
本発明の課題は、上述の問題を考慮したものであり、使用基準波長３８０〜４５０ｎｍ、保護基板厚約０．６ｍｍの光情報記録媒体に用いられ、軸上色収差及び温度変化による球面収差を補正できる光学素子及び光ピックアップ装置を提供することである。
【００１０】
【課題を解決するための手段】
以上の課題を解決するため、請求項１に記載の発明は、保護基板６の厚さが約０．６ｍｍである光情報記録媒体５に対して情報の記録及び／又は再生を行う光ピックアップ装置１に用いられ、前記光情報記録媒体の情報記録面７に使用基準波長３８０〜４５０ｎｍの光束を集光させる光学素子（例えば、対物レンズ４）であって、少なくとも１つの光学面上に光軸Ｌを中心としたＬ個の輪帯からなる回折構造を備え、前記光情報記録媒体に対して情報の再生及び／又は記録を行う際に、前記回折構造により生じる回折光のうち、最大の回折効率を有する回折光の次数をｋ（自然数）とし、焦点距離をｆｍｍとした場合に、
９０≦Ｌｋ（ｆ１／２）≦３００
であることを特徴とする。
【００１１】
ここで、本明細書中において、保護基板とは光情報記録媒体の情報記録面を保護するために、情報記録面の光束入射面側に形成された光学的に透明な平行平板を指し、保護基板の厚さとは平行平板の厚さを指す。光源から出射された光束は、対物レンズによって保護透明基板を介して光情報記録媒体の情報記録面上に集光される。
また、光学素子とは、光ピックアップ装置の光学系を構成する、例えば、対物レンズ、カップリングレンズ（コリメータ）、ビームエキスパンダ、ビームシェイパ、補正板等の部材を指す。
また、光学素子としては、単一の部材のみで構成されているものに限定されず、例えば、複数のレンズを光軸方向に組み合わせて構成されるレンズ群をまとめて光学素子としてもよい。
対物レンズとは、狭義には光ピックアップ装置に光記録媒体を装填した状態において、最も光情報記録媒体側の位置で、これと対向すべく配置される集光作用を有するレンズを指し、広義にはそのレンズとともに、アクチュエータによって少なくともその光軸方向に作動可能なレンズを指すものとする。
したがって、本明細書において、対物レンズの像側の開口数とは、対物レンズの最も光情報記録媒体側に位置するレンズ面の開口数を指すものである。
【００１２】
また、本明細書では、必要（な所定の）開口数とは、光情報記録媒体の規格で規定されている開口数、あるいは、光情報記録媒体に使用する光源の波長に応じて、情報の記録または再生をするために必要なスポット径を得ることができる回折限界性能を有する対物レンズの開口数を指すものとする。
また、開口数とは、光ピックアップ装置に設けられた絞りやフィルタ等の絞り機能を有する部品又は部材や、対物レンズなどの光学素子上に設けられた回折パターンなどによって、最良像点におけるスポットの形成に寄与する光束が制限された結果として定義される開口数である。
【００１３】
また、使用基準波長とは、用いられる光源が使用基準温度において出射する光束の波長を指す。これに対して、同光源が使用温度において出射する光束の波長を使用波長という。
使用基準温度とは、光学素子及び光ピックアップ装置が使用される環境の温度変化範囲内にある、常温（１０〜４０℃程度）のことである。
【００１４】
また、情報の記録とは光情報記録媒体の情報記録面上に情報を記録することをいい、情報の再生とは光情報記録媒体の情報記録面上に記録された情報を再生することをいう。
また、本発明における光学素子は、情報の記録だけあるいは再生だけを行うために用いるものであってもよいし、記録と再生の両方を行うために用いるものであってもよい。なお、ここでいう再生とは、単に情報を読み取ることを含むものである。
【００１５】
また、回折構造を備えた光学面（回折面）とは、光学素子の表面、例えばレンズの表面に、レリーフを設けて、入射光束を回折させる作用を持たせる面のことをいい、同一光学面に回折が生じる領域と生じない領域がある場合は、回折が生じる領域をいう。
レリーフの形状としては、例えば、光学素子の表面に、光軸を中心としてほぼ同心円状の輪帯として形成され、光軸を含む平面でその断面をみた場合に、各輪帯が鋸歯状あるいは階段状となったものを挙げられる。
【００１６】
一般に、回折構造を備えた光学面からは、０次回折光、±１次回折光、±２次回折光、・・・、と無数の次数の回折光が生じるが、例えば、上記のような子午断面が鋸歯状となるレリーフを持つ回折面の場合は、特定の次数の回折効率を他の次数の回折効率よりも高くしたり、場合によっては、特定の１つの次数（例えば、＋１次回折光）の回折効率をほぼ１００％とするように、レリーフの形状を設定することができる。
また、本明細書中で、回折効率とは、回折構造により生じる回折光の光量の比率を表すもので、全次数の回折光の回折効率の和は１となる。
また、本発明において、「最大の回折効率を有する回折光の次数ｋ」とは、使用基準波長３８０〜４５０ｎｍの光が光学素子に入射したときに、回折光の回折効率が理論的に他の次数と比較して最大となる回折次数を指す。
【００１７】
請求項１に記載の発明によれば、保護基板の厚さが約０．６ｍｍである光情報記録媒体の情報記録面に使用基準波長３８０〜４５０ｎｍの光束を集光させて情報の再生及び／又は記録を行う際に、光軸を中心としたＬ個の輪帯からなる回折構造により生じる回折光のうち、最大の回折効率を有する回折光の次数をｋ（自然数）とし、焦点距離をｆｍｍとした場合に、
９０≦Ｌｋ（ｆ１／２）≦３００
とすることにより、軸上色収差及び温度変化による球面収差を補正できる光学素子が得られる。
【００１８】
従って、使用基準波長３８０〜４５０ｎｍの光束を保護基板厚約０．６ｍｍの光情報記録媒体に対して使用する場合に、プラスチックなどの温度変化により屈折率や形状が変化しやすい素材を用いて光学素子を形成した場合でも、温度特性収差の発生を抑えることができ、また、モードホップ等の理由により、レーザビームの波長が長くなった場合に生ずる軸上色収差の発生を抑えることができる。また、光情報記録媒体の再生／記録を行う際に、最大の回折効率を生じるｋ次の回折光を焦点に集光させてレーザビームの利用効率を高めることができる光学素子を得られる。
【００１９】
請求項２に記載の発明は、請求項１に記載の光学素子であって、　１４０≦Ｌｋ（ｆ１／２）≦２２０　であることを特徴とする。
【００２０】
請求項３に記載の発明は、請求項１又は２に記載の光学素子であって、開口数が０．６０以上で０．７０以下であることを特徴とする。
請求項４に記載の発明は、請求項１〜３のいずれか一項に記載の光学素子であって、開口数が０．６５であることを特徴とする光学素子。
【００２１】
請求項５に記載の発明は、請求項１〜４のいずれか一項に記載の光学素子であって、プラスチックから成形されたものであることを特徴とする。
【００２２】
請求項５に記載の発明によれば、請求項１〜４と同様の効果を得られると共に、硝材の費用が節減されるとともに、金型を利用して輪帯構造を備える光学素子を射出成形により大量生産することで、光学素子をの製造コストを抑えることができる。
【００２３】
請求項６に記載の発明は、保護基板の厚さが約０．６ｍｍである光情報記録媒体の情報記録面に対して基準波長３８０〜４５０ｎｍの光束を集光させる光学素子を備え、情報の記録及び／又は再生を行う光ピックアップ装置であって、前記光学素子が少なくとも１つの光学面上に光軸を中心としたＬ個の輪帯からなる回折構造を備え、前記光情報記録媒体に対して情報の再生及び／又は記録を行う際に、前記回折構造により生じる回折光のうち、最大の回折効率を有する回折光の次数をｋ（自然数）とし、焦点距離をｆｍｍとした場合に、
９０≦Ｌｋ（ｆ１／２）≦３００
であることを特徴とする。
【００２４】
請求項６に記載の発明によれば、使用基準波長３８０〜４５０ｎｍの光束を集光させる光学素子を用いて、保護基板の厚さが約０．６ｍｍである光情報記録媒体の情報記録面に情報の再生及び／又は記録を行う際に、光学素子が備える光軸を中心としたＬ個の輪帯からなる回折構造により生じる回折光のうち、最大の回折効率を有する回折光の次数をｋ（自然数）とし、焦点距離をｆｍｍとした場合に、
９０≦Ｌｋ（ｆ１／２）≦３００
とすることにより、軸上色収差及び温度変化による球面収差を補正できる光ピックアップ装置が得られる。
また、光情報記録媒体の再生／記録を行う際に、最大の回折効率を生じるｋ次の回折光を焦点に集光させてレーザビームの利用効率が高い光ピックアップ装置が得られる。
【００２５】
請求項７に記載の発明は、請求項６に記載の光ピックアップ装置であって、　１４０≦Ｌｋ（ｆ１／２）≦２２０　であることを特徴とする。
【００２６】
【発明の実施の形態】
本発明の光ピックアップ装置及び光学素子の実施の形態を、図面を参照して説明する。
光ピックアップ装置は、使用基準波長が３８０〜４５０ｎｍの光源を用いて、保護基板の厚さが約０．６ｍｍの高密度ＤＶＤに対して情報の記録及び／又は再生を行うために設計されたものであり、光ピックアップ装置を構成する複数の光学素子のうち少なくとも一つの光学素子の光学面上に回折構造（同心円状の輪帯）が形成されている。
図１に示すように、光ピックアップ装置１は、光源としてのレーザ発振器２から出射される使用基準波長３８０〜４５０ｎｍの光束を、コリメータレンズ３を透過させることにより平行光束とする。そして、対物レンズを通過した光束を光軸Ｌ上で高密度ＤＶＤ５の保護基板６を介して情報記録面７に集めてビームスポットを形成する。
【００２７】
そして、情報記録面７で情報ピットにより変調されて反射した光束を、偏光ビームスプリッタ８で取り込み、検出器９の受光面に再びビームスポットを形成して、検出器９から出力される信号を用いて高密度ＤＶＤ５に記録された情報の読み取り信号を得るものである。
ここで、本発明者の研究により、光学素子に形成した、光軸を中心とする同心円状の輪帯の数をＬ、高密度ＤＶＤに情報の記録及び／又は再生を行う際に回折構造により生じる回折光のうち最大の回折効率を有する回折光の次数をｋ（自然数）、焦点距離をｆｍｍとした場合に、９０≦Ｌｋ（ｆ１／２）≦３００　の範囲に収まるように、より好ましくは、１４０≦Ｌｋ（ｆ１／２）≦２２０　の範囲に収まるように、Ｌ、ｋ、ｆを設定した場合に、設計段階での想定値を超える温度変化により発生する収差（温度特性収差）と、設計段階での想定値を超える出射光束の波長の変化により発生する軸上色収差を許容レベルに収めることが可能であることが判明した。
【００２８】
つまり、本発明にかかる光学素子及び光ピックアップ装置によれば、回折構造の回折作用を利用して、出射光束の波長の変化により発生する最良像点位置の変化や波面収差の変化、温度変化に伴う屈折率の変化により発生する波面収差の変化等を補正することが可能となる。
例えば、ｆ＝２．４ｍｍ、ｋ＝１と設定し、光学素子としての対物レンズに輪帯を形成する場合には、輪帯の数Ｌを、９１＜Ｌ＜１４２　とすれば、温度特性収差、軸上色収差を許容レベル内に補正することができるとともに、最大の回折効率を生じる１次の回折光を用いた、光束の利用効率が高い対物レンズを得ることができる。
【００２９】
【実施例】
次に、上記実施の形態で示した光ピックアップ装置及び光学素子の実施例について説明する。
本実施例においては、図２に示すように、両面非球面の単レンズである対物レンズ４の一方（光源側）の非球面４ａ上に輪帯を形成している。
表１〜３に対物レンズのレンズデータを示す。
【００３０】
【表１】
2004101823.tif 000003
【００３１】
表１に示すように、本実施例の対物レンズ４は、使用基準波長が４０５ｎｍのときの焦点距離ｆ＝２．４ｍｍ、像側開口数ＮＡ＝０．６５に設定されている。また、有効径（ＮＡ＝０．６５）での輪帯数Ｌ＝１００、ｋ＝１に設定されている。
従って、Ｌｋ（ｆ１／２）≒１５５となっており、１４０≦Ｌｋ（ｆ１／２）≦２２０　の条件を満たす対物レンズである。
表１中の面Ｎｏ．１、２はそれぞれ、対物レンズ４の第１面４ａ、第２面４ｂを示しており、面番号３、４はそれぞれ、高密度ＤＶＤの保護基板の表面６ａ、記録層７を表している。また、Ｒは曲率半径、ｄは高密度ＤＶＤの記録層を原点として、光束の反射方向を正とした場合の光軸上の距離、ｎは屈折率を表している。
【００３２】
第１面は、図２に示す母非球面を、光軸Ｌ方向に、光軸Ｌを中心とした同心円上の輪帯に分割されていて、光軸から離れるにしたがって、厚みが増すように形成されている。
隣り合う２つの輪帯の間の段差は、一の輪帯を通過する光線と、その隣の輪帯を通過する光線との間に使用基準波長のほぼ整数倍の光路差を生じ、かつ波面のずれが生じない長さに設定されている。
【００３３】
対物レンズ４の第１面４ａと第２面４ｂは、それぞれ次式（数１）に表２に示す係数を代入した数式で規定される、光軸Ｌの周りに軸対称な非球面に形成されている。
【００３４】
【数１】
2004101823.tif 000004
【００３５】
ここで、Ｘは光軸方向の軸（光の進行方向を正とする）、ｈは光軸からの高さ、Ｒは近軸曲率半径、κは円錐係数、Ａ２ｉは非球面係数である。
また、一般に、回折輪帯のピッチは光路差関数を使って定義される。具体的には、光路差関数Φ（ｈ）は単位をｍｍとして（数２）で表わされ、数２に、表２に示す係数を代入した数式で規定される。
【００３６】
【数２】
2004101823.tif 000005
ここで、Ｂ２ｉは光路差関数の係数、ｈは光軸からの高さである。
【００３７】
【表２】
2004101823.tif 000006
【００３８】
表３は、本実施例に示した光学素子（対物レンズ４）及び光ピックアップ装置１を用いた場合の評価を示すものである。
【００３９】
【表３】
2004101823.tif 000007
【００４０】
表３中、（ｉ）は出射光束の波長の変化（１ｎｍの増加）により発生する最良像点位置の変化量、（ｉｉ）は出射光束の波長の変化（５ｎｍの増加）により発生する波面収差、（ｉｉｉ）は使用基準温度からの温度変化（３０度の増加）に伴う屈折率の変化により発生する波面収差を表している。
表３から、本実施例に示した光学素子及び光ピックアップ装置によれば、温度特性収差と、出射光束の波長の変化により発生する軸上色収差を許容レベルに収めることが可能であることが分かる。
【００４１】
次に、比較例として、軸上色収差の補正に対応していない対物レンズを図２に示した光ピックアップ装置１に用いた場合について説明する。
以下、対物レンズのレンズデータを示す（表４、表５を参照）。
この対物レンズは有効径（ＮＡ＝０．６５）での輪帯数Ｌ＝４７、ｋ＝１、光源波長４００ｎｍを用いた場合の焦点距離ｆ＝３．３３ｍｍ、像側開口数ＮＡ＝０．７０に設定されている。
従って、Ｌｋ（ｆ１／２）≒８６となっており、９０≦Ｌｋ（ｆ１／２）≦３００　の条件を満たしていない対物レンズである。
なお、対物レンズの像側の最大開口数に対応する輪帯のピッチＰｆ＝０．０１１ｍｍ、最大開口数の１／２の開口数に対応する輪帯のピッチＰｈ＝０．０６０ｍｍとなっている。
【００４２】
対物レンズの第１面の母非球面と第２面は、それぞれ数１に表４及び表５に示す係数を代入した数式で規定される、光軸の周りに軸対称な非球面に形成されている。
また、光路差関数Φ（ｈ）は数２に、表５に示す係数を代入した数式で規定される。
【００４３】
【表４】
2004101823.tif 000008
【表５】
2004101823.tif 000009
【００４４】
図３は、本比較例における対物レンズについて、使用基準波長４００ｎｍに対する開口数０〜０．７０までの球面収差図であり、ＮＡ０．７０までの全開口がほぼ無収差となっていることが分かる。
【００４５】
ここで、上述のように、本比較例における対物レンズは、Ｌｋ（ｆ１／２）≒８６であり、９０≦Ｌｋ（ｆ１／２）≦３００　の条件を満たしていない。
そして、本発明者による検討の結果、この対物レンズを軸上色収差の補正に対応させるには、輪帯数Ｌを増加させる必要があり、９０≦Ｌｋ（ｆ１／２）≦３００　を満たすように輪帯数Ｌを設定することにより、設計段階での想定値を超える温度変化により発生する球面収差と、設計段階での想定値を超える出射光束の波長の変化により発生する軸上色収差を許容レベルに収めることができることが判明した。
【００４６】
【発明の効果】
本発明によれば、保護基板の厚さが約０．６ｍｍである光情報記録媒体の情報記録面に使用基準波長３８０〜４５０ｎｍの光束を集光させて情報の再生及び／又は記録を行う際に、光軸を中心としたＬ個の輪帯からなる回折構造により生じる回折光のうち、最大の回折効率を有する回折光の次数をｋ（自然数）とし、焦点距離をｆｍｍとした場合に、　９０≦Ｌｋ（ｆ１／２）≦３００　とすることにより、軸上色収差及び温度変化による球面収差を補正できる光学素子及び光ピックアップ装置を得ることができる。
【図面の簡単な説明】
【図１】本実施の形態に係る光ピックアップ装置及び光学素子の一例を示す概略図である。
【図２】対物レンズの構造を示す要部側面図である。
【図３】比較例の対物レンズの縦球面収差図である。
【符号の説明】
Ｌ　　　光軸
１　　　光ピックアップ装置
４　　　対物レンズ
５　　　光情報記録媒体
６　　　保護基板
７　　　情報記録面
【図１】
2004101823.tif 000010
【図２】
2004101823.tif 000011
【図３】
2004101823.tif 000012